(57)【要約】【課題】送風手段として放電により気流を発生させる気流誘起部を用いて装置構成を小型化しつつ、外部に放出されるイオンのイオンバランスを適正に維持することができるイオン発生装置を提供する。【解決手段】空気の吸込口５とイオン発生器３との間の通風路８に、放電を発生させてイオン発生器３に向かう気流を誘起する気流誘起部２と、気流誘起部２の下流側に位置し、気流誘起部２の放電により発生したイオンを捕集する捕集電極４とを備えている。気流誘起部２は、通風路８の内壁に沿って配置された板状の誘電体２１と、誘電体２１の両面に設けられ、高周波電圧が印加される２つの放電電極２２，２３とを備え、一方の電極２２は通風路８の内部側に位置し、他方の電極２３は通風路８の外部側に位置し、一方の電極２２は、他方の電極２３よりも上流側に位置して通風路８内に露出している。【選択図】図１
2013041687.tif 000002
【特許請求の範囲】
【請求項１】
空気の吸込口と吹出口とを繋ぐ通風路にイオン発生器を備えたイオン発生装置において、
前記吸込口とイオン発生器との間の前記通風路に、放電を発生させて前記イオン発生器に向かう気流を誘起する気流誘起部と、該気流誘起部の下流側に位置し、該気流誘起部の放電により発生したイオンを捕集する捕集電極とを備えていることを特徴とするイオン発生装置。
【請求項２】
前記捕集電極は、前記通風路の内壁に配置された板状電極又は筒状電極であることを特徴とする請求項１に記載のイオン発生装置。
【請求項３】
前記捕集電極は、前記通風路を横断するように配置された多孔状の電極材に形成してあることを特徴とする請求項１に記載のイオン発生装置。
【請求項４】
前記気流誘起部は、前記通風路の内壁に沿って配置された板状の誘電体と、該誘電体の両面に設けられ、高周波電圧が印加される２つの放電電極とを備え、該２つの放電電極の一方は前記通風路の内部側に位置し、他方は前記通風路の外部側に位置しており、
前記一方の放電電極は、他方の放電電極よりも上流側に位置して前記通風路内に露出しているか、又は、下流側部分のみが前記通風路内に露出していることを特徴とする請求項１から３の何れか１項に記載のイオン発生装置。
【請求項５】
前記吸込口を複数備え、
前記通風路は、一端が前記吹出口に繋がる主風路と、一端が前記各吸込口に繋がり、他端が前記主風路の他端に繋がる複数の副風路とを備え、
前記複数の副風路の夫々又は各副風路と主風路との合流箇所に、前記気流誘起部が設けてあり、
前記捕集電極及びイオン発生器は、前記主風路に設けてあることを特徴とする請求項１から４の何れか１項に記載のイオン発生装置。
【請求項６】
前記イオン発生器は、正イオンと負イオンとを発生させることを特徴とする請求項１から５の何れか１項に記載のイオン発生装置。
【請求項７】
前記気流誘起部とイオン発生器との間の通風路に、前記気流誘起部での放電により発生したオゾンを分解するオゾンフィルタを備えていることを特徴とする請求項１から６の何れか１項に記載のイオン発生装置。
【請求項８】
空気の吸込口と吹出口とを繋ぐ通風路にイオン発生器を備えたイオン発生装置において、
前記吸込口とイオン発生器との間の前記通風路に、放電を発生させて前記イオン発生器に向かう気流を誘起する気流誘起部と、該気流誘起部の下流側に位置したオゾンフィルタとを備え、
該オゾンフィルタは、オゾンの分解処理剤を担持した導電基材が、前記通風路内に露出していることを特徴とするイオン発生装置。 
【発明の詳細な説明】
【技術分野】
【０００１】
本発明は、空気中にイオンを放出するイオン発生装置に関する。
【背景技術】
【０００２】
従来、イオン発生装置では、イオン発生器で発生させたイオンを含んだ空気をファンの回転によって発生する風によって外部に吹き出している（特許文献１参照）。
【０００３】
また、特許文献２には、放電によって気流を誘起するプラズマアクチュエータを用いたガス浄化装置が開示されている。このガス浄化装置では、誘電体を介して２つの電極（第１の放電電極及び第２の放電電極）を対向配置し、これら第１及び第２の放電電極に対して高周波電圧を印加して誘電体バリア放電を発生させ、誘電体バリア放電により一定方向に気流が流れるように配置することで、気流誘起部を形成している。気流誘起部における気流の流れ方向の下流側に、供給されたガス（空気）中の不純物を浄化する浄化処理手段を備えた浄化処理部を設置している。
【先行技術文献】
【特許文献】
【０００４】
【特許文献１】特開２０１０−０８０４２５号公報
【特許文献２】特開２００８−２８９８０１号公報
【発明の概要】
【発明が解決しようとする課題】
【０００５】
従来のイオン発生装置では、送風ファンの設置スペースのために装置が大型化し、また、ファンの騒音が大きいという問題がある。
一方、イオンを含んだ空気を送風する手段としてプラズマアクチュエータを用いた場合、外部に吹き出すイオンを含む空気にプラズマアクチュエータでの放電により発生したイオンが混入し、イオンバランスが悪くなる可能性がある。
【０００６】
本発明は、上述したような事情に鑑みてなされたものであり、送風手段として放電により気流を発生させる気流誘起部（プラズマアクチュエータ）を用いて装置構成を小型化しつつ、外部に放出されるイオンのイオンバランスを適正に維持することができるイオン発生装置を提供することを目的とする。
【課題を解決するための手段】
【０００７】
本発明に係るイオン発生装置は、空気の吸込口と吹出口とを繋ぐ通風路にイオン発生器を備えたイオン発生装置において、前記吸込口とイオン発生器との間の前記通風路に、放電を発生させて前記イオン発生器に向かう気流を誘起する気流誘起部と、該気流誘起部の下流側に位置し、該気流誘起部の放電により発生したイオンを捕集する捕集電極とを備えていることを特徴とする。
【０００８】
本発明においては、吸込口とイオン発生器との間の通風路に備えた気流誘起部で放電が発生してイオン発生器に向かう気流が誘起され、吸込口から吹出口に向かって通風路を空気が流れる。吸込口から吸い込まれた空気には、気流誘起部を通過する際に気流誘起部の放電により発生したイオンが混入するが、混入したイオンは気流誘起部の下流側に位置した捕集電極で捕集される。捕集電極を通過し、気流誘起部の放電により発生したイオンが除去された空気はイオン発生器で発生したイオンが付加され、吹出口から外部に吹き出す。
【０００９】
本発明に係るイオン発生装置は、前記捕集電極は、前記通風路の内壁に配置された板状電極又は筒状電極であることを特徴とする。
本発明においては、気流誘起部の放電により発生したイオンが通風路の内壁に配置された板状の捕集電極又は筒状の捕集電極に吸引されて捕集される。その結果、捕集電極を簡略化することができる。また、筒状の捕集電極では通風路の全周においてイオンを良好に捕集することができる。
【００１０】
本発明に係るイオン発生装置は、前記捕集電極は、前記通風路を横断するように配置された多孔状の電極材に形成してあることを特徴とする。
本発明においては、気流誘起部の放電により発生したイオンは通風路を横断するように配置された多孔状の電極材に形成した捕集電極に接触して捕集される。その結果、通風路を流れる空気に比較的高濃度で混入したイオンについても良好に捕集することができる。
【００１１】
本発明に係るイオン発生装置は、前記気流誘起部は、前記通風路の内壁に沿って配置された板状の誘電体と、該誘電体の両面に設けられ、高周波電圧が印加される２つの放電電極とを備え、該２つの放電電極の一方は前記通風路の内部側に位置し、他方は前記通風路の外部側に位置しており、前記一方の放電電極は、他方の放電電極よりも上流側に位置して前記通風路内に露出しているか、又は、下流側部分のみが前記通風路内に露出していることを特徴とする。
【００１２】
本発明においては、通風路の内壁に沿って配置された板状の誘電体の両面に設けられた２つの放電電極の一方は、通風路の内部側に位置し、通風路の外部側に位置した他方の放電電極よりも上流側に位置して通風路内に露出しているので、２つの放電電極間に高周波電圧が印加されると、通風路の内部側に位置した一方の放電電極の下流側部分に近い誘電体の表面付近の空気が放電し、放電により過剰になった正及び負のイオンが一方の放電電極から遠ざかる向きの静電力を受け、通風路の下流側のイオン発生器に向かう気流が誘起される。
又は、通風路の内壁に沿って配置された板状の誘電体の両面に設けられた２つの放電電極の一方は、通風路の内部側に位置し、下流側部分のみが通風路内に露出しているので、２つの放電電極間に高周波電圧が印加されると、通風路の内部側に位置した一方の放電電極の通風路内に露出していない部分では放電が発生せず、通風路内に露出した下流側部分に近い誘電体の表面付近の空気が放電し、放電により過剰になった正及び負のイオンが一方の放電電極から遠ざかる向きの静電力を受け、通風路の下流側のイオン発生器に向かう気流が誘起される。
【００１３】
本発明に係るイオン発生装置は、前記吸込口を複数備え、前記通風路は、一端が前記吹出口に繋がる主風路と、一端が前記各吸込口に繋がり、他端が前記主風路の他端に繋がる複数の副風路とを備え、前記複数の副風路の夫々又は各副風路と主風路との合流箇所に、前記気流誘起部が設けてあり、前記捕集電極及びイオン発生器は、前記主風路に設けてあることを特徴とする。
【００１４】
本発明においては、複数の副風路の夫々又は各副風路と主風路との合流箇所に設けた気流誘起部によって、各副風路から主風路に向かう気流が誘起され、各吸込口から各副風路に空気が吸い込まれ、主風路に合流する。各吸込口から吸い込まれた空気は、各気流誘起部を通過する際に気流誘起部の放電により発生したイオンが混入するが、主風路に設けた捕集電極で混入したイオンが捕集される。捕集電極を通過し、気流誘起部の放電により発生したイオンが除去された空気は主風路に設けたイオン発生器で発生したイオンが付加され、吹出口から外部に吹き出す。
【００１５】
本発明に係るイオン発生装置は、前記イオン発生器は、正イオンと負イオンとを発生させることを特徴とする。
本発明においては、気流誘起部の放電により発生したイオンが捕集電極によって除去された空気にイオン発生器で発生した正イオンと負イオンとが付加され、吹出口から外部に吹き出す。特に正イオン及び負イオンは同時に空気中に放出して菌やカビ等の微生物や臭い成分を分解するために必要な正イオンの量と負イオンの量とのバランスを適正な状態に維持することができる。
【００１６】
本発明に係るイオン発生装置は、前記気流誘起部とイオン発生器との間の通風路に、前記気流誘起部での放電により発生したオゾンを分解するオゾンフィルタを備えていることを特徴とする。
本発明においては、気流誘起部での放電により発生したオゾンがオゾンフィルタによって分解除去された空気にイオン発生器で発生したイオンが付加され、吹出口から外部に吹き出すので、有害なオゾンが外部に放出されることが防止される。
【００１７】
本発明に係るイオン発生装置は、空気の吸込口と吹出口とを繋ぐ通風路にイオン発生器を備えたイオン発生装置において、前記吸込口とイオン発生器との間の前記通風路に、放電を発生させて前記イオン発生器に向かう気流を誘起する気流誘起部と、該気流誘起部の下流側に位置したオゾンフィルタとを備え、該オゾンフィルタは、オゾンの分解処理剤を担持した導電基材が、前記通風路内に露出していることを特徴とする。
【００１８】
本発明においては、吸込口とイオン発生器との間の通風路に備えた気流誘起部で放電が発生してイオン発生器に向かう気流が誘起され、吸込口から吹出口に向かって通風路を空気が流れる。吸込口から吸い込まれた空気は、気流誘起部を通過する際に気流誘起部の放電により発生したイオン及びオゾンが混入するが、気流誘起部の下流側に位置し、オゾンの分解処理剤を担持した導電基材が通風路内に露出したオゾンフィルタを通過する際に分解処理剤によってオゾンが分解され、導電基材によってイオンが捕集される。オゾンフィルタを通過して、気流誘起部の放電により発生したイオン及びオゾンが除去された空気はイオン発生器で発生したイオンが付加され、吹出口から外部に吹き出す。
【発明の効果】
【００１９】
本発明によれば、送風手段として放電により気流を発生させる気流誘起部（プラズマアクチュエータ）を用いて装置構成を小型化しつつ、気流誘起部の放電により発生したイオンを気流誘起部の下流側に位置した捕集電極で捕集するので、イオン発生器で発生し外部に放出されるイオンのイオンバランスを適正に維持することができるイオン発生装置が提供される。
【００２０】
本発明によれば、送風手段として放電により気流を発生させる気流誘起部（プラズマアクチュエータ）を用いて装置構成を小型化しつつ、気流誘起部の放電により発生したイオンの捕集及びオゾンの分解除去を気流誘起部の下流側に位置したオゾンフィルタで同時に行うので、簡略化した構成によりイオン発生器で発生し外部に放出されるイオンのイオンバランスを適正に維持すると共にオゾンの外部への放出も防止することができるイオン発生装置が提供される。
【図面の簡単な説明】
【００２１】
【図１】本発明の実施の形態１に係るイオン発生装置の構造を模式的に示す正面断面図である。
【図２】プラズマアクチュエータの動作を説明する図である。
【図３】イオン発生器の斜視図である。
【図４】本発明の実施の形態２に係るイオン発生装置の構造を模式的に示す正面断面図である。
【図５】図４のＶ−Ｖ線における横断断面図である。
【図６】実施の形態２に係るイオン発生装置の変形例を示す横断断面図である。
【図７】本発明の実施の形態３に係るイオン発生装置の構造を模式的に示す正面断面図である。
【図８】本発明の実施の形態４に係るイオン発生装置の構造を模式的に示す正面断面図である。
【図９】本発明の実施の形態５に係るイオン発生装置の構造を模式的に示す正面断面図である。
【発明を実施するための形態】
【００２２】
以下、本発明に係るイオン発生装置の実施の形態について図面に基づいて説明する。
（実施の形態１）
図１は本発明の実施の形態１に係るイオン発生装置の構造を模式的に示す正面断面図、図２はプラズマアクチュエータの動作を説明する図、図３はイオン発生器の斜視図である。
【００２３】
本実施形態に係るイオン発生装置１０は、筺体１、送風装置としてのプラズマアクチュエータ２、イオンを発生させるイオン発生器３、プラズマアクチュエータ２から発生したイオンを捕集する捕集電極４などを備えている。
【００２４】
筺体１は略直方体の形状をしており、下部側面に吸込口５を有し、上面に吹出口６を有する。筺体１の内部には吸込口５と吹出口６とを連通する通風路８が形成されている。吸込口５にはメッシュ状の集塵フィルタ７が備えられており、大きなゴミがイオン発生装置内に侵入することを防止している。通風路８は、一端が吸込口５に繋がる横風路８１と、上端が吹出口６に繋がる縦風路８２とを備え、横風路８１の他端が縦風路８２の下部に連通している。
【００２５】
プラズマアクチュエータ２は、縦風路８２の下部の吸込口５とは反対側の内壁に設けてある。プラズマアクチュエータ２は、片面が縦風路８２に露出するように内壁面に沿って配置された板状の誘電体２１と、該誘電体２１の両面に配置された２つの放電電極２２，２３とを備えている。縦風路８２側に位置する一方の放電電極２２は縦風路８２内に露出し、他方の放電電極２３は絶縁体２４で被覆されている。一方の放電電極２２は他方の放電電極２３よりも縦風路８２における風路方向の上流側に位置している。ここで、縦風路８２の風路方向は下から上に向かう方向であり、放電電極２２が下側、放電電極２３が上側に配置されている。放電電極２２と放電電極２３とは、筺体１内に配置されている放電用電源９に接続されている。
【００２６】
プラズマアクチュエータ２では、放電電極２２と放電電極２３との間に放電用電源９から供給される高圧（１〜１０ｋＶ程度）の高周波交流電圧を印加すると、露出した放電電極２２の下流側部分に近い誘電体２１の表面付近の空気が絶縁破壊して放電が発生し、誘電体２１の表面に沿って放電電極２２から遠ざかる向き（図１で上向き）の風の流れ（気流）が発生する。露出していない放電電極２３の部分では放電は発生しない。
【００２７】
具体的には、放電電極２２が正の電位にあるとき、放電電極２２の下流側部分に近い箇所で放電が発生する。移動度が遅いために過剰になった正のイオンは印加した電界によって正電位の放電電極２２から遠ざかる向きの静電力を受け、中性粒子に衝突して移動力を与える（図２参照）。放電電極２２が負の電位にあるとき、同様に放電電極２２の下流側部分に近い箇所で放電が発生して負のイオンが過剰になり、印加した電界によって負電位の放電電極２２から遠ざかる向きの静電力を受けた負のイオンが中性粒子に衝突し、正の電位のときと同じ向きの移動力を与える。
【００２８】
イオン発生器３は、縦風路８２内の壁面にイオンを発生させる２つの針状の放電電極３１，３２が風路内に露出するように設けられている。イオン発生器３は筐体３３を有し、各放電電極３１，３２は筐体３３内に設けたプリント基板等の保持体（不図示）で保持されている。筐体３３内に設けられた給電部（不図示）から各放電電極３１，３２に電圧を供給することによって放電電極３１，３２がイオンを発生する。
【００２９】
一方の放電電極３１には正電圧が印加され、放電によるプラズマ領域で空気中の水分子が電気的に分解して主として水素イオンＨ+ が生成される。そして、生成された水素イオンの周りに空気中の水分子が凝集し、正のクラスターイオンＨ+ （Ｈ2 Ｏ）m が形成される。ここで、ｍは任意の自然数である。他方の放電電極３２には負電圧が印加され、放電によるプラズマ領域で空気中の酸素分子が電気的に分解して主として酸素イオンＯ2-が生成される。そして、生成された酸素イオンの周りに空気中の水分子が凝集し、負のクラスターイオンＯ2-（Ｈ2 Ｏ）n が形成される。ここで、ｎは０または任意の自然数である。
【００３０】
正イオン及び負イオンは同時に空気中に放出されると、菌やカビ等の微生物や臭い成分の表面で凝集してこれらを取り囲む。そして、瞬間的に正イオンと負イオンが結合して酸化力の非常に高い活性種である［・ＯＨ］（水酸基ラジカル）やＨ2Ｏ2（過酸化水素）を微生物等の表面上で生成する。この化学反応により微生物の表面のタンパク質や臭い成分を分解してその働きを抑制する。
【００３１】
なお、本実施形態では、２つの放電電極３１，３２から発生するイオンの極性を固定しているが、所定時間毎に極性を切り換えてもよい。また、正のイオンと負のイオンとを発生させているが、負のイオンのみを発生させてもよい。
【００３２】
捕集電極４は、プラズマアクチュエータ２の下流側でイオン発生器３の上流側に、電極面（板面）が縦風路８２に露出するように設けられた板状の電極である。捕集電極４はアースに接続されており、プラズマアクチュエータ２が発生させたイオンは捕集電極４に接触して大部分捕集される。したがって、捕集電極４よりも下流側にはプラズマアクチュエータ２が発生させたイオンはほとんど流れず、イオン発生器３が発生させたイオンが付加される空気に混入しない。
【００３３】
次に、イオン発生装置１０の動作について説明する。
運転を開始すると、イオン発生器３及びプラズマアクチュエータ２が駆動される。プラズマアクチュエータ２が発生させる気流に誘引されるように吸込口５から装置外部の空気が吸い込まれ、通風路８内を流れる。プラズマアクチュエータ２周辺では、プラズマアクチュエータ２の放電により発生したイオンが通風路８内を流れる空気に混入する。イオンを含んだ空気が捕集電極４周辺を通過するとき、イオンは電荷を帯びているため、アース電位である捕集電極４に引き寄せられ、捕集電極４に吸収される。
【００３４】
捕集電極４でイオンの大部分が吸収された空気はイオン発生器３から放出される正のクラスターイオンＨ+ （Ｈ2 Ｏ）m と、負のクラスターイオンＯ2-（Ｈ2 Ｏ）n とを含んで吹出口６から装置外部へと吹き出される。
【００３５】
本実施形態に係るイオン発生装置１０では、送風ファンを用いていないため、小型化を図ることができ、かつ、送風ファンの回転による騒音や振動も抑えることができる。
また、空気がイオン発生器３に到達するよりも上流側で捕集電極４によりプラズマアクチュエータ２で発生したイオンを捕集することで、イオン発生器３で発生させたイオン（外部に放出したいイオン）だけを確実に外部に放出することができる。これにより、正イオンと負イオンとの量的なバランスをとることができる。また、プラズマアクチュエータ２の放電電極２２と放電電極２３との間に印加する電圧によっては、正のクラスターイオンＨ+ （Ｈ2 Ｏ）m と、負のクラスターイオンＯ2-（Ｈ2 Ｏ）n 以外の様々なイオンが発生する可能性があるが、そのような場合でも確実に、正のクラスターイオンＨ+ （Ｈ2 Ｏ）m と、負のクラスターイオンＯ2-（Ｈ2 Ｏ）n のみを装置外部に放出することができる。
【００３６】
（実施の形態２）
図４は本発明の実施の形態２に係るイオン発生装置の構造を模式的に示す正面断面図、図５は図４のＶ−Ｖ線における横断断面図である。以下、実施の形態１と異なる箇所についてのみ説明する。
【００３７】
実施の形態２では、筺体１Ａの下部の対向する２つの側面に２つの吸込口５Ａ，５Ａが設けられている。各吸込口５Ａ，５Ａにはメッシュ状の集塵フィルタ７が備えられている。通風路８Ａは２つの横風路８１Ａ，８１Ａと各横風路８１Ａ，８１Ａが繋がる１つの縦風路８２Ａとを有する。各吸込口５Ａ，５Ａは各横風路８１Ａ，８１Ａに繋がっている。２つの横風路８１Ａ，８１Ａの底壁は面一に連なっている。各横風路８１Ａ，８１Ａと縦風路８２Ａとの合流部分にプラズマアクチュエータ２Ａが配置されている。また、縦風路８２Ａの対向する内壁に露出するように２つの板状の捕集電極４Ａ，４Ａを設けている。
【００３８】
プラズマアクチュエータ２Ａは、表面（上面）が２つの横風路８１Ａ，８１Ａの面一の底壁に露出するように配置された板状の誘電体２１と、誘電体２１の上面に横方向に離隔配置された２つの放電電極２２Ａ，２２Ａと、誘電体２１の裏面（下面）に各放電電極２２Ａ，２２Ａから横方向で等距離の位置に配置された１つの放電電極２３Ａとを備えている。ここで、各放電電極２２Ａ，２２Ａは放電電極２３Ａの上流側に位置している。放電電極２２Ａ，２２Ａは露出し、放電電極２３Ａは絶縁体２４で被覆されている。各放電電極２２Ａ，２２Ａと放電電極２３Ａとは、放電用電源９に接続されている。
【００３９】
２つの放電電極２２Ａ，２２Ａと放電電極２３Ａとの間に高圧の交流電圧を印加すると、誘電体２１の表面に沿って各放電電極２２Ａ，２２Ａから放電電極２３Ａに向かう横向きの気流が各放電電極２２Ａ，２２Ａの下流側部分の周辺に発生する。この気流は合流して図４に示すように上向きの気流となり、縦風路８２Ａ内を流れていく。
【００４０】
プラズマアクチュエータ２Ａの放電により発生したイオンが縦風路８２Ａ内を流れる空気に混入するが、イオンを含んだ空気が対向配置された捕集電極４Ａ，４Ａ周辺を通過するとき、アース電位である捕集電極４Ａ，４Ａに引き寄せられ、捕集電極４Ａ，４Ａに吸収される。
【００４１】
図６は実施の形態２に係るイオン発生装置の変形例を示す横断断面図である。板状の捕集電極４Ａ，４Ａの代わりに、縦風路８２Ａの内壁の全周に露出するように筒状の捕集電極４Ｂを設けている。
【００４２】
（実施の形態３）
図７は本発明の実施の形態３に係るイオン発生装置の構造を模式的に示す正面断面図である。実施の形態３では、オゾンフィルタ１１が、プラズマアクチュエータ２Ａと捕集電極４Ａ，４Ａの間に設けられている点を除いて実施の形態２と同一である。オゾンフィルタ１１は、オゾンの分解処理剤をハニカム状の無機の繊維体又は金属部材等に担持させた構造を有し、オゾンフィルタ１１を通過する空気中のオゾンを分解処理する。
【００４３】
プラズマアクチュエータ２Ａに印加する電圧によってはイオンとともにオゾンが発生する可能性がある。多量のオゾンを空間に放出すると、人体への影響があるおそれがあるため、オゾンフィルタ１１を設けることで、オゾンを確実に通風路８Ａ内で除去し、外部へのオゾン放出を防ぐことができる。なお、オゾンフィルタ１１は、捕集電極４Ａ，４Ａの下流側に設置してもよい。
【００４４】
（実施の形態４）
図８は本発明の実施の形態４に係るイオン発生装置の構造を模式的に示す正面断面図である。実施の形態４では、捕集電極４Ｃが、縦風路８２Ａを横断するように配置された多孔状の電極材に形成してある点を除いて、実施の形態２と同一である。多孔状の電極材は例えば金属線材を網状又はグリッド状等に構成したものである。
【００４５】
（実施の形態５）
図９は本発明の実施の形態５に係るイオン発生装置の構造を模式的に示す正面断面図である。実施の形態５では、捕集電極４Ａ，４Ａ及びオゾンフィルタ１１の代わりに、イオン捕集機能を有するオゾンフィルタ１１Ａが縦風路８２Ａに配置されている点を除いて、実施の形態３と同一である。
【００４６】
オゾンフィルタ１１Ａは、オゾンの分解処理剤１２を担持した導電基材１３が、縦風路８２Ａ内に露出している。導電基材１３は多数の孔１３ａを有する金属体で構成され、アースに接続されている。オゾンフィルタ１１Ａを通過する空気中のオゾンは分解処理剤１２によって分解処理され、プラズマアクチュエータ２Ａの放電により発生したイオンは導電基材１３に吸収される。
【００４７】
上述した実施の形態１−５では、プラズマアクチュエータ２，２Ａの通風路８，８Ａ側の放電電極２２，２２Ａの全部分が通風路８，８Ａ内に露出している。図示はしないが、放電電極２２，２２Ａの上流側部分を絶縁体で覆い、下流側部分のみが通風路８，８Ａ内に露出する構成でもよい。
【符号の説明】
【００４８】
２      プラズマアクチュエータ（気流誘起部）
２Ａ    プラズマアクチュエータ（気流誘起部）
２１    誘電体
２２    放電電極
２２Ａ  放電電極
２３    放電電極
２３Ａ  放電電極
３      イオン発生器
４      捕集電極
４Ａ    捕集電極
４Ｂ    捕集電極
４Ｃ    捕集電極
５      吸込口
５Ａ    吸込口
６      吹出口
８      通風路
８Ａ    通風路
８１Ａ  横風路（副風路）
８２Ａ  縦風路（主風路）
１０    イオン発生装置
１１    オゾンフィルタ
１１Ａ  オゾンフィルタ
１２    分解処理剤
１３    導電基材
【図１】
2013041687.tif 000003
【図２】
2013041687.tif 000004
【図３】
2013041687.tif 000005
【図４】
2013041687.tif 000006
【図５】
2013041687.tif 000007
【図６】
2013041687.tif 000008
【図７】
2013041687.tif 000009
【図８】
2013041687.tif 000010
【図９】
2013041687.tif 000011